(57)【要約】【課題】仮設足場の設置高さを容易に調節できる高さ調整材の提供。【解決手段】高さ調整柱６８と、仮設足場の縦柱２２をこの高さ調整柱６８に少なくとも上下の２個所で垂直に固定するための上部固定金具８１と下部固定金具８２からなる高さ調整部材であって、高さ調整柱６８は、この高さ調整柱６８に下部固定金具８１を種々の高さ位置で固定できる高さ調整孔６７と、ロック金具２８を、それぞれ、上下方向に複数個備えており、かつ、下部固定金具８１は上記の縦柱２２を上記調整孔６７のいずれかの高さ位置に固定するための固定孔８３を有する高さ調整部８１ａと、上記縦柱２２を垂直に固定できる支持部８１ｂからなることを特徴とする高さ調整部材。【選択図】図１５
2014190070.tif 000002
【特許請求の範囲】
【請求項１】
高さ調整柱と、仮設足場の縦柱をこの高さ調整柱に少なくとも上下の２個所で垂直に固定するための上部固定金具と下部固定金具からなる高さ調整部材であって、
高さ調整柱は、この高さ調整柱に下部固定金具を種々の高さ位置で固定できる高さ調整孔と、ロック金具を、それぞれ、上下方向に複数個備えており、かつ、下部固定金具は上記の縦柱を上記高さ調整孔のいずれかの高さ位置に固定するための固定孔を有する高さ調整部と、上記縦柱を垂直に固定できる支持部からなることを特徴とする高さ調整部材。
【請求項２】
下部固定金具は、上記縦柱を上記高さ調整孔のいずれかの高さ位置に固定するための固定孔を有する高さ調整部と、上記縦柱を垂直に載置できかつその横方向のずれを防止できる支持部からなることを特徴とする、請求項１に記載の高さ調整部材。
【請求項３】
下部固定金具の高さ調整部は高さ調整柱を概ね内包することができる略Ｃ字形状の水平断面を有することを特徴とする、請求項１または２に記載の高さ調整部材。
【請求項４】
下部固定金具の支持部は管または棒形状を有することを特徴とする、請求項２又は３に記載の高さ調整部材。
【請求項５】
下部固定金具の支持部に連結ピンが取り付けられていることを特徴とする、請求項２から４までのいずれかに記載の高さ調整部材。
【請求項６】
高さ調整柱の下にジャッキベースが取り付けられていることを特徴とする請求項１から５までのいずれかに記載の高さ調整部材。
【請求項７】
高さ調整柱の側面に連結金具が設けられていることを特徴とする、請求項１から６までのいずれかに記載の高さ調整部材。
【請求項８】
高さ調整柱の側面に設けられた連結金具につなぎ材が取り付けられていることを特徴とする、請求項７に記載の高さ調整部材。
【請求項９】
高さ調整柱として、高さ調整柱の側面に設けられている連結金具の間につなぎ材を介しての高さ調整柱を２本以上連結してなる連結型高さ調整柱を用いることを特徴とする、請求項７又は８に記載の高さ調整部材。
【請求項１０】
請求項１から９までのいずれかに記載の高さ調整部材を組み込んだことを特徴とする仮設足場。
【請求項１１】
高さ調整柱に設けられたロック金具に筋違が取り付けられていることを特徴とする、請求項１から１０までのいずれかに記載の仮設足場。
【発明の詳細な説明】
【技術分野】
【０００１】
本発明は、建築現場や土木現場等の工事現場において、屋内外の仮設足場で用いられる高さ調整部材およびこの高さ調整部材を組み込んでなる仮設足場に関する。
【背景技術】
【０００２】
工事現場における仮設足場には、主としてビルの施工時などに用いられる枠組足場、主として住宅の施工時などに用いられる単管足場やくさび緊結式足場などがあり、また、システム足場、ローリングタワーなども仮設足場の一態様である。
【０００３】
このうち、枠組足場は縦柱（「建地材」ともいう。）と横桟（「横地材」ともいう。）から構成されるＨ形状や鳥居形状等の建枠を使用するタイプであり、また、くさび緊結式足場はコマ等の連結金具を側面に設けた支柱部材と短尺のつなぎ材（「水平材」ともいう。また、短尺のつなぎ材のことを特に「腕木材」ということがある。）を使用するタイプであり、いずれも対面する横桟の間又はつなぎ材（腕木材）の間に床付き布枠（「布板」ともいう。）が架け渡されて、作業床や作業員の通路などとして使用される。さらに、筋違（「ブレース材」ともいう。）や手摺部材が取り付けられることがある。
【０００４】
なお、これらの仮設足場で用いられる部材のうち、建枠、支柱部材、つなぎ材、手摺部材等には、鋼製やアルミニウム製などの円管が通常用いられる。
【０００５】
以下に、枠組足場について図面を用いて、その構造と組み立て方を説明する。
【０００６】
まず、図１に、鳥居形状の建枠（以下、「鳥居枠」という。）を用いて枠組足場を形成する一例を示す。(a)が正面図、(b)が右側面図である。
【０００７】
まず３個の鳥居枠２４を建物１４とは直角に等間隔に並べ、隣接する鳥居枠２４との間に、建物とは反対側に筋違２５をロック金具２８ｂに取付け、そして建物側にも筋違２５をロック金具２８ａに取付けて、１段目の鳥居枠２４を自立させることによって、１段目の足場を形成する。なお、連結ピン１２は予め鳥居枠２４の縦柱２２の上端部に内嵌されている。その後、１段目の隣接する鳥居枠２４の上部の横桟２３の間に２段目の足場板となる床付き布枠９を架け渡した後、既に立設した１段目の鳥居枠２４の縦柱２２に、予めその上端部に内嵌されている連結ピン１２を介して、別途用意した鳥居枠２４の縦柱２２の下部を載置して固定することによって、２段目の鳥居枠２４を立設する。その後、１段目と同様にして、建物とは反対側に筋違２５をロック金具２８ｂに取付け、そして、建物側にも筋違２５をロック金具２８ａに取付けて、２段目の鳥居枠２４を自立させることによって、２段目の足場を形成する。その後、２段目の隣接する鳥居枠２４の上部の横桟２３の間に３段目の足場板となる床付き布枠９を架け渡した後、既に立設した２段目の鳥居枠２４の縦柱２２に、予めその上端部に内嵌されている連結ピン１２を介して、別途用意した鳥居枠２４の縦柱２２の下部を連結することによって、３段目の鳥居枠２４を立設する。その後、２段目と同様にして、建物とは反対側に筋違２５をロック金具２８ｂに取付け、そして、建物側にも筋違２５をロック金具２８ａに取付けて、３段目の鳥居枠２４を自立させることによって、３段目の足場を形成する。このようにして、必要な段数になるまで枠組足場を形成する。なお、ここでは筋違を用いることによって各段の枠組を自立させる手順を説明したが、筋違の一部を手摺枠に置き換えて各段の枠組を自立させてもよい。
【０００８】
このように、工事現場における仮設足場は、その足場の種類を問わず、その工事の高さに応じて足場を何段にも積み上げることで形成される。したがって、仮設足場を構築するためには、仮設足場の最下部を水平に保持する必要がある。
【０００９】
従来から仮設足場を構成する建枠の縦柱の下には、ジャッキベースが取り付けられている。したがって、仮設足場の最下部の接地部の傾斜に合わせて、ジャッキベースの高さを調整することによって、仮設足場の最下部を水平に保持することができる。
【００１０】
図２は、建枠の縦柱２２の下にジャッキベース５を取り付けたときの一例（従来例）である。(a)が正面図であり、(b)はジャッキベースだけを示す正面図、そして、(c)はジャッキベースのネジ部の断面図である。
【００１１】
地盤１０の上に載置されたジャッキベース５の外面はネジ加工１５がなされており、ジャッキハンドル１６を回すことによって、建枠の縦柱２２の高さを調節することができる。ジャッキベースによる高さ調節では不十分な場合には、仮設足場を構成する建枠の縦柱の下に、高さ調節枠を嵌め込むことによって、さらなる高さ調節することもなされてきた。
【００１２】
図３は、建枠の縦柱２２の下に、高さ調節枠６０を介して、ジャッキベース５を取り付けたときの一例（従来例）を示す正面図である。ここでは、仮設足場の最下部の剛性を確保するために、根がらみ単管６１が水平方向にクランプ６２によって止められている。また、縦柱２２は、高さ調節枠６０の上に連結ピン１２を介して載置されている。
【００１３】
また、大傾斜地や階段部等、大きな高低差があるため、建枠の縦柱の下に高さ調節枠を設置できない場合には、高さ調節枠を用いずに、縦柱の側面に高さ調整用の単管を抱かせることで対応することもある。
【００１４】
図４は、コンクリート基礎１３による段差によって生じた大きな高低差に対応する場合の一例（従来例）を示す左側面図である。建枠のうちのそれぞれの縦柱２２の側面に高さ調整用の単管６３を垂直に抱かせており、そして縦柱２２と単管６３の間を２箇所でクランプ６２で止めることによって高さ調整がなされているが、その分許容荷重が低下する。ここでは、仮設足場の最下部の剛性を確保するために、根がらみ単管６１が水平方向に設置されている。さらに、高低差に沿って斜め方向に、補強用の単管６４を設置することで補強がされている。
【００１５】
次に、特許文献１では、高さ調節枠に代えて、建枠の縦柱のうちの一方の真下に設置する高さ調整柱６８を用いて、高低差に対応することが提案されている。ここでは、縦方向に複数の高さ調整孔６７を備える高さ調整柱６８を介して、ジャッキベースを取り付けており、ジャッキベースによる高さ調整に加えて、この高さ調整柱６８への固定ピン７０の差込位置を変えることで、縦柱ごとに高さ調節ができるようにている。ここでは、高さ調整柱６８は単管で構成されている。
【００１６】
図５は、特許文献１に基づいて、この高さ調整柱６８を介して、ジャッキベース５を取り付けたときの一例である。(a)が正面図であり、そして、(b)はジャッキベースと高さ調整柱６８だけを示す正面図である。ここでは、仮設足場の最下部の剛性を確保するために、根がらみ単管６１が水平２方向に設置されている。さらに、高さ調整柱６８の間には補強用単管６４を水平２方向に設置することで補強がされている。なお、高さ調整柱６８と縦柱２２の間のジョイント部にはホゾ１１が用いられている。
【００１７】
特許文献２でも、高さ調節枠に代えて、建枠の縦柱のうちの一方の真下に設置する二重管（内管６６ａと外管６６ｂ）からなる高さ調整柱６６を用いて、高低差に対応することが提案されている。ここでは、外管６６ｂに対してスライド可能な内管６６ａには縦方向に複数の高さ調整孔６７を備え、そして、外管の上端外周部に雄ネジ加工１５を施すとともに高さを固定するための縦長の固定孔７１を穿設し、内管６６ａに設けられた高さ調整孔６７とこの固定孔７１とに差し込む固定ピン７０の差込位置を変えることとネジ調整とで、縦柱ごとに高さ調節ができるようにしている。
【００１８】
図６は、特許文献２に基づいて、パイプサポートと称する高さ調整柱６６を建枠の縦柱２２の下に取り付けたときの一例である。(a)が正面図であり、そして、(b)はパイプサポートと称する高さ調整柱６６だけを示す正面図である。ここでは、仮設足場の最下部の剛性を確保するために、根がらみ単管６１が水平２方向に設置されている。
【００１９】
特許文献３では、建枠の縦柱の真下に高さ調整柱を取り付けるのではなく、縦柱に平行に隣接して立設される高さ調整柱６６と、この外面に縦柱を垂直に抱くことができる断面コの字形状の垂直壁７３ｃを有する固定金具７３を設けてなる高さ調整部材が提案されている。ここでは、高さ調整柱６６を内管６６ａと外管６６ｂからなる二重管から構成し、外管６６ｂに対してスライド可能な内管６６ａには縦方向に複数の高さ調整孔６７を備え、そして、外管６６ｂの上端外周部に雄ネジ加工１５を施すとともに高さを固定するための縦長の固定孔７１を穿設し、内管６６ａに設けられた高さ調整孔６７とこの固定孔７１とに差し込む固定ピン７０の差込位置の変更とネジ調整とで、各々の縦柱２２ごとに接地部までの高さ調節ができるようにしている。そして、縦柱２２を高さ調整部材６６に固定するための固定金具７３は、外管６６ｂの中程の側面に取り付けられている。この固定金具７３は断面コの字形状の垂直壁７３ｃを有し、その下部には縦柱２２の下部を載置できる下部固定金具７３ａと、その上部には縦柱を固定できる上部固定金具７３ｂを備えている。
【００２０】
図７は、特許文献３に基づいて、パイプサポートと称する高さ調整部材に、建枠の縦柱２２を取り付けたときの一例である。(a)が正面図であり、そして、(b)はパイプサポートと称する高さ調整部材だけを示す正面図である。ここでは、建枠の縦柱２２は、断面コの字形状の垂直壁７３ｃの側面に抱かせて、下部固定金具７３ａの上に載置した後、上部固定金具７３ｂで固定する。なお、仮設足場の最下部の剛性を確保するために、根がらみ単管６１が水平２方向に設置されている。
【先行技術文献】
【特許文献】
【００２１】
【特許文献１】特開２００１−２４１１８４号公報
【特許文献２】特開２０００−０１７８３３号公報
【特許文献３】特開平０９−０８８３３０号公報
【発明の概要】
【発明が解決しようとする課題】
【００２２】
しかしながら、図２に示されるジャッキベース５は、通常、外径約３５ｍｍの棒鋼に谷径約２８ｍｍのネジ加工を施された部材を使用しているため、水平力に弱く、その高さ調整代は５０〜３５０ｍｍに制限されている。
【００２３】
ジャッキベースによる高さ調節では不十分な場合には、図３に示される高さ調節枠６０を嵌め込むことができるが、その高さ調節には限度があり、この高さ調節枠６０とジャッキベース５を建枠の縦柱２２の下に取り付けるだけでは対応できない場合がある。
【００２４】
図４に示される方式では、クランプ６２を用いているため、補強のために、補強用の単管６４を斜めに設置する必要がある。仮設足場の許容荷重は本来１．６〜２．４トンあるところ、クランプ６２のすべり強度が弱いため、その許容荷重はその半分以下に制限する必要がある。
【００２５】
特許文献１（図５）に示される高さ調整柱６８では、柱材のジョイント部に対する横方向の剛性（強度）が弱い為、短辺・長辺方向ともに補強用の根がらみ単管６１の設置が必要となるので、その設置のための手間がかかる。また、高さ調整柱６８が短いために、高さ調整柱６８の中でホゾ１１とジャッキベース５が干渉しやすくなり、ジャッキベース５を最大限まで、低くすることができない。
【００２６】
特許文献２（図６）に示される高さ調整柱６６は、建枠の縦柱２２の真下に取り付けられるため、高さ調整代が限られているので、大きな高低差のある場合には対応できない。ここでも、短辺・長辺方向ともに補強用の根がらみ単管６１の設置が必要となるので、その設置のための手間がかかる。さらに、この高さ調整柱６６はネジ加工１５が必要となるため、コストがかかる。
【００２７】
特許文献３（図７）に示される高さ調整部材は、縦柱の側面に高さ調整柱６６を抱かせる方式であって、高さ調整柱６６は縦柱に平行に隣接して立設されており、建枠の縦柱２２の真下に取り付けられるものではない。したがって、高さ調整柱６６を長くすることができるし、また、縦柱２２とラップする部分があるため、ジョイント部の剛性が高くなるという利点がある。
【００２８】
ところが、このように縦柱２２の側面に高さ調整柱６６を抱かせる方式の場合には、その仮設足場の水平抵抗力が低下することになる。その水平抵抗力は、仮設足場の短辺方向（側面）では作業員の移動距離が短いために水平力は余り発生せず、根がらみ単管のクランプ６２の剛性でその四角形の枠形状を維持できるのに対して、仮設足場の長辺方向（正面）では作業員の移動距離が長いために大きな水平力が発生し、根がらみ単管６１のクランプ６２の剛性だけではその四角形の枠形状を維持できない。したがって、仮設足場の長辺方向（正面）においては、根がらみ単管６１に加えて、斜めに水平力抵抗用単管６５を取り付ける必要が生じる。
【００２９】
図８と図９は、それぞれ、縦柱２２の側面に高さ調整柱６６を抱かせる方式の側面図と正面図を示している。図８における四角形の枠形状は、建枠の横桟２３と２本の高さ調整用単管６３と根がらみ単管６１で形成されており、ここでは建枠を構成する横桟２３がその一辺をなしているため、根がらみ単管６１のクランプ６２の剛性でその四角形の枠形状を維持できることが分かる。これに対して、図９における四角形の枠形状は、対向する横桟２３の間に架け渡された床付き布枠９と２本の高さ調整用単管６３と根がらみ単管６１で形成されており、ここでは対向する横桟２３の間に架け渡された床付き布枠９がその一辺をなしているだけであるため、根がらみ単管６１のクランプ６２の剛性だけではその四角形の枠形状を維持できないことが分かる。
【００３０】
このように縦柱２２の側面に高さ調整柱６６を抱かせる方式の場合においては、斜めに水平力抵抗用単管６５を取り付ける必要があることに加えて、仮設足場の最下部の剛性を確保するために、根がらみ単管６１を水平２方向に設置する必要がある。したがって、これらの単管の設置とクランプ止めの作業の手間が大きい。
【００３１】
本発明は、仮設足場の最下部の接地部に大きな傾斜があっても、仮設足場の最下部を水平に保持することができ、単管の設置とクランプ止めの作業の手間を減らすことができる高さ調整部材と、この高さ調整部材を組み込んでなる仮設足場を提供することを目的とする。
【課題を解決するための手段】
【００３２】
本発明者らは、上記のような問題点を解決するために種々の検討を重ねた。その結果、次の(a)〜(e)に示す知見を得た。
【００３３】
(a) 仮設足場の縦柱の下に高さ調節枠を嵌め込む方式、あるいは、仮設足場の縦柱の真下に高さ調整柱を嵌め込む方式は、大きな高低差のある傾斜には対応できない。したがって、上記特許文献３に示されるように、仮設足場の縦柱の側面に高さ調整柱を抱かせる方式が好ましい。
【００３４】
(b) しかしながら、上記特許文献３に示される、縦柱に平行に隣接して立設される高さ調整柱６６と、この外面に縦柱２２を垂直に抱くことができる断面コの字形状の垂直壁７３ｃを有する固定金具７３を設けてなる高さ調整部材は、その高さ調整柱６６が内管６６ａと外管６６ｂからなる二重管であり、かつ、外管６６ｂの上端外周部を雄ネジ加工する必要があるために、そのコストがかかる。また、仮設足場の最下部の剛性を確保する必要があるが、そのための根がらみ単管６１や水平力抵抗用単管６５の設置には、それぞれ単管を設置しクランプによって止めるしか方策がないため、そのための手間がかかる。
【００３５】
(c)上記の雄ネジ加工１５は高さ調整部材に高さ微調整機能をもたせるためになされたのであるが、仮設足場の最下部にはもともと高さ微調整機能を有するジャッキベース５が備えられているので、これに高さ微調整機能をもたせれば、上記の雄ネジ加工１５は不要になるだけでなく、高さ調整柱を内管と外管からなる二重管にする必要はなく単管でもよいことに思い至った。そして、二重管の高さ調整柱６６を単管の高さ調整柱６８に代えれば、高さ調整柱６８の外面にロック金具２８を上下方向に複数個備えることができ、かつ、高さ調整柱６８には縦柱を種々の高さ位置で固定できる高さ調整孔６７を上下方向に複数個備えることができるので、対面する高さ調節柱６８に設けられたロック金具２８の間に筋違２１を取り付けることによって水平力抵抗用単管６５の代わりになるだけでなく、高さ調整柱６８の高さ調整孔６７を選択することによって縦柱２２を所望の高さ位置で固定することもできることに思い至った。
【００３６】
(d) すなわち、高さ調整部材を、「高さ調整柱６８と、仮設足場の縦柱２２をこの高さ調整柱６８に少なくとも上下の２個所で垂直に固定するための上部固定金具８２と下部固定金具８１」から構成し、その高さ調整柱６８は「この高さ調整柱６８に下部固定金具８１を種々の高さ位置で固定できる高さ調整孔６７」と「ロック金具２８」を、それぞれ、上下方向に複数個備えており、かつ、下部固定金具８１は「上記の縦柱２２を上記高さ調整孔６７のいずれかの高さ位置に固定するための固定孔８３を有する高さ調整部８１ａと、上記縦柱を垂直に固定できる支持部８１ｂ」を備えればよい。そして、高さ調整柱６８に穿たれた高さ調整孔６７の一つと、下部固定金具８１の高さ調整部８１ａに穿たれた固定孔８３との間をボルト８５とナットまたは固定ピンで固定することによって、上記縦柱２２を所定の高さ位置で支持して高さ調整柱６８に取り付けることができる。なお、高さの微調整が必要な場合には、その高さ調整柱６８の下にジャッキベース５を備えればよい。
【００３７】
下部固定金具８１における、縦柱２２を垂直に固定できる支持部８１ａとしては、縦柱２２を垂直に固定できるものであればよい。縦柱２２を垂直に固定する手法としては、(i)縦柱２２を隣接する高さ調整柱６８に固定する、または、(ii)縦柱２を垂直に載置しかつその横方向のずれを防止できる支持部８１ｂを隣接する高さ調整柱６８に固定することが考えられる。
【００３８】
(i)の縦柱２２を隣接する高さ調整柱６８に固定する手法としては、たとえば、高さ調整柱６８の高さ調整孔６７と、縦柱２２に穿たれた孔とをボルトナットまたは固定ピンで連結できる連結金具を用いて、両孔を連結すればよい。このとき、連結金具は、高さ調整柱６８と、縦柱２２をそれぞれ、概ね内包することができる略Ｃ字形状の水平断面を有するのが好ましい。略Ｃ形状としては、Ｃ字形状のほかに、コの字形状、Ｕ字形状を挙げることができる。
【００３９】
そして、(ii)の縦柱２２を垂直に載置しかつその横方向のずれを防止できる支持部８１ｂを隣接する高さ調整柱６８に固定する手法としては、下部固定金具８１の支持部８１ｂと、高さ調整柱６８の高さ調整孔６７のいずれかの高さ位置に固定するための固定孔８３を有する高さ調整部８１ａとを一体に形成し、この支持部８１ｂの台座の形状を管または棒形状として、縦柱２２をこの支持部８１ｂの台座の上に垂直に載置したときに外嵌または内嵌できるようにすれば、横方向のずれも防止できる。このとき、下部固定金具８１の高さ調整部８１ａは、高さ調整柱６７を概ね内包することができる略Ｃ字形状の水平断面を有するのが好ましい。略Ｃ形状としては、Ｃ字形状のほかに、コの字形状、Ｕ字形状を挙げることができる。支持部８１ｂには、縦柱同士のジョイント金具として知られている連結ピンを用いてもよい。
【００４０】
(e) さらに、高さ調整部材の高さ調整柱６８の間は、つなぎ材２で連結されるのが好ましい。そのためには、コマ４等の連結金具を高さ調整柱６８の側面に設けておけば、この連結金具の間をつなぎ材２で連結することができる。このつなぎ材２は仮設足場の最下部の剛性を確保するために水平方向に設置される根がらみ単管６１の代わりになる。
【００４１】
本発明は、上記の知見に基づいて完成したものであって、その要旨は下記の(1)〜(9)の高さ調整部材および(10)〜(11)の仮設足場にある。以下、(1)〜(11)にかかる発明を総称して本発明ということがある。
【００４２】
(1) 高さ調整柱６８と、仮設足場の縦柱２２をこの高さ調整柱６８に少なくとも上下の２個所で垂直に固定するための上部固定金具８２と下部固定金具８１からなる高さ調整部材であって、
高さ調整柱６８は、この高さ調整柱６８に下部固定金具８１を種々の高さ位置で固定できる高さ調整孔６７と、ロック金具２８を、それぞれ、上下方向に複数個備えており、かつ、下部固定金具８１は上記の縦柱２２を上記高さ調整孔６７のいずれかの高さ位置に固定するための固定孔８３を有する高さ調整部８１ａと、上記縦柱２２を垂直に固定できる支持部８１ｂからなることを特徴とする高さ調整部材。
【００４３】
(2) 下部固定金具８１は、上記縦柱２２を上記高さ調整孔６７のいずれかの高さ位置に固定するための固定孔８３を有する高さ調整部８１ａと、上記縦柱２２を垂直に載置できかつその横方向のずれを防止できる支持部８１ｂからなることを特徴とする、上記(1)の高さ調整部材。
【００４４】
(3) 下部固定金具８１の高さ調整部８１ａは高さ調整柱６８を概ね内包することができる略Ｃ字形状の水平断面を有することを特徴とする、上記(1)または(2)の高さ調整部材。
【００４５】
(4) 下部固定金具８１の支持部８１ｂは管または棒形状を有することを特徴とする、上記(2)または(3)の高さ調整部材。
【００４６】
(5) 下部固定金具８１の支持部８１ｂに連結ピン１２が取り付けられていることを特徴とする、上記(2)〜(4)のいずれかの高さ調整部材。
【００４７】
(6) 高さ調整柱６８の下にジャッキベース５が取り付けられていることを特徴とする、上記(1)〜(5)のいずれかの高さ調整部材。
【００４８】
(7) 高さ調整柱６８の側面に連結金具が設けられていることを特徴とする、上記(1)〜(6)のいずれかの高さ調整部材。
【００４９】
(8) 高さ調整柱６８の側面に設けられた連結金具につなぎ材２が取り付けられていることを特徴とする、上記(7)の高さ調整部材。
【００５０】
(9) 高さ調整柱６８として、高さ調整柱６８の側面に設けられている連結金具の間につなぎ材２を介しての高さ調整柱６８を２本以上連結してなる連結型高さ調整柱を用いることを特徴とする、上記(7)または(8)の高さ調整部材。
【００５１】
(10) 上記(1)〜(9)のいずれかの高さ調整部材を組み込んだことを特徴とする仮設足場。
【００５２】
(11) 高さ調整柱に設けられたロック金具２８に筋違２１が取り付けられていることを特徴とする、上記(1)〜(10)のいずれかの仮設足場。
【発明の効果】
【００５３】
本発明によれば、仮設足場の最下部の接地部に大きな傾斜があっても、仮設足場の最下部を水平に保持することができ、単管の設置とクランプ止めの作業の手間を減らすことができる高さ調整部材と、この高さ調整部材を組み込んでなる仮設足場を提供することができる。
【図面の簡単な説明】
【００５４】
【図１】鳥居形状の建枠を用いて枠組足場を形成する一例を示す。(a)が正面図、(b)が右側面図である。
【図２】建枠の縦柱の下にジャッキベースを取り付けたときの一例（従来例）である。
【図３】建枠の縦柱の下に、高さ調節枠を介して、ジャッキベースを取り付けたときの一例（従来例）を示す。
【図４】大きな高低差に対応する場合の一例（従来例）を示す左側面図である。
【図５】特許文献１に基づいて、この高さ調整柱を介して、ジャッキベースを取り付けたときの一例である。
【図６】特許文献２に基づいて、パイプサポートと称する高さ調整柱を建枠の縦柱の下に取り付けたときの一例である。
【図７】特許文献３に基づいて、パイプサポートと称する高さ調整部材に、建枠の縦柱を取り付けたときの一例である。
【図８】縦柱の側面に高さ調整柱を抱かせる方式の側面図である。
【図９】縦柱の側面に高さ調整柱を抱かせる方式の正面図である。
【図１０】本発明に係る高さ調整部材の一例（正面図）である。(a)が高さ調整柱、(b)が上部固定金具、(c)が下部固定金具である。
【図１１】高さ調整柱の側面に設けたコマに、端部にクサビ金具を有するつなぎ材を取り付ける作業を示す。
【図１２】図１０に係る高さ調整部材のうち、下部固定金具の拡大図である。
【図１３】図１０に係る高さ調整部材のうち、上部固定金具の拡大図である。
【図１４】図１０に示した本発明に係る高さ調整部材を用いて仮設足場を立設した一例である。
【図１５】図１０に示した本発明に係る高さ調整部材を用いて仮設足場を立設した他の例である。
【図１６】図１０に示した本発明に係る高さ調整部材を用いて急傾斜面の上に仮設足場を立設した他の例（左側面図）である。
【図１７】本発明に係る下部固定金具の他の例である。
【図１８】本発明に係る下部固定金具の他の例である。
【図１９】本発明に係る下部固定金具の他の例である
【図２０】本発明に係る下部固定金具の他の例である。
【図２１】本発明に係る上部固定金具の他の例である。
【発明を実施するための形態】
【００５５】
本発明に係る高さ調整部材及びこの高さ調整部材が組み込まれている仮設足場について、以下に、図面を用いて、説明する。
【実施例】
【００５６】
図１０は、本発明に係る高さ調整部材の一例（正面図）である。(a)が高さ調整柱、(b)が上部固定金具、(c)が下部固定金具である。
【００５７】
この高さ調整部材は、高さ調整柱６８と、上部固定金具８２と下部固定金具８１からなる。上部固定金具８２と下部固定金具８１は、仮設足場の縦柱２２をこの高さ調整柱６８に上下の２個所で垂直に固定するための金具である。上部固定金具８２は１個でもよいが、２個以上用いてもよい。
【００５８】
高さ調整柱６８は、外径48.6ｍｍまたは42.7ｍｍの鋼管からなり、その長さ方向に５個の高さ調整孔６７が穿たれている。ここでは、５個の高さ調整孔６７が穿たれているが、２個以上あればよく、その個数に制限はない。そして、この孔径は10.5〜14ｍｍが望ましいが、M10ボルト（２面せん断力  約1.7ｔ）、M12ボルト（２面せん断力  約3t）またはそれに相当するボルトもしくは固定ピンが通るサイズであればよい。高さ調整孔６７の間隔はここでは200ｍｍとしたが、50〜300ｍｍの間で選択することができる。
【００５９】
また、この高さ調整柱６８は、その鋼管の外面に溶接によって、その長さ方向に２個のロック金具２８が取り付けられている。筋違(斜材)２１は端部が扁平状でかつ孔が穿たれた部材であるから、ロック金具２８に容易に取り付けることができる。この高さ調整柱６８には２個のロック金具２８が設けられているが、筋違２１の高さ方向の間隔を広げたい場合や、筋違２１の設置本数を増加したい場合は、３個以上設けてもよい。このロック金具２８は高さ調整柱６８に取り付ける筋違２１の端部を固定することができる金具であって、この筋違２１は仮設足場の最下部の剛性を確保するために斜めに設置される水平力抵抗用単管６５の機能を代替できるものである。すなわち、クランプ６２を使用する必要があるため、設置に時間がかかる水平力抵抗用単管６５の代わりになる。
【００６０】
さらに、この高さ調整柱６８には、その側面につなぎ材２を連結するためのコマ４等の連結金具が設けられている。コマ４等の連結金具を介して、つなぎ材２の端部にクサビ金具２ａを打つ等の簡単な固定方法でつなぎ材２を固定することができる。このつなぎ材２は仮設足場の最下部の剛性を確保するために水平方向に設置される根がらみ単管６１の機能を代替できる。すなわち、クランプ６２を使用する必要があるため、設置に時間がかかる根がらみ単管６１の代わりになる。
【００６１】
図１１に、高さ調整柱６８の側面に設けたコマ４に、端部にクサビ金具２ａを有するつなぎ材２を取り付ける作業を示す。
【００６２】
高さ調整柱６８の側面に設けるコマ４の数は、つなぎ材２を連結するために必要な個数であり、ここでは１方向だけに設けられているが、十字型に４方向まで設けてもよい。なお、つなぎ材２を連結しない高さ調整柱６８の場合には、コマ４等の連結金具を設けなくてもよい。
【００６３】
図１２は、図１０に係る高さ調整部材６８のうち、下部固定金具８１の拡大図である。(a)が平面図、そして、(b)が正面図である。
【００６４】
下部固定金具８１は、縦柱２２を高さ調整柱６８の高さ調整孔６７のいずれかの高さ位置に固定するための固定孔８３を有する高さ調整部８１ａと、縦柱２２を垂直に載置できかつその横方向のずれを防止できる支持部８１ｂからなる。
【００６５】
ここで、支持部８１ｂと高さ調整部８１ａは一体に形成されており、高さ調整部８１ａは高さ調整柱６８を概ね内包することができるコの字形状の水平断面を有している。また、支持部８１ｂには四角形状の板材の上に、連結ピン１２を内嵌できる台座が設けられており、この台座の上の連結ピン１２を介して、縦柱２２の最下部を外嵌させることで縦柱２２を載置することができ、また横方向のずれも生じない。
【００６６】
この下部固定金具８１は、縦柱２２にかかる荷重を高さ調整柱６８に伝達できる部材であり、クランプ６２を用いないで、縦柱２２を高さ調整柱６８に連結できるため、縦柱２２の許容荷重が低下することはない。
【００６７】
図１３は、図１０に係る高さ調整部材６８のうち、上部固定金具８２の拡大図である。(a)が平面図、そして、(b)が正面図である。
【００６８】
上部固定金具８２は、縦柱２２を高さ調整柱６８に補助的に固定するためのものである。縦柱２２の上部に固定することができればよく、ここでは、自在クランプが用いられている。なお、上部固定金具８２は２個以上用いてもよい。
【００６９】
図１４は、図１０に示した本発明に係る高さ調整部材を用いて仮設足場を立設した一例である。(a)が正面図、そして、(b)が右側面図である。
【００７０】
２本の高さ調整柱６８が、ジャッキベース５を介して、地盤の上に立設され、高さ調整柱６８の最下位の高さ調整孔６７と下部固定金具８１の高さ調整部８１ａの固定孔８３にボルト８５を貫通させ、ナット８６で締め付けることによって、それぞれの高さ調整柱６８に下部固定金具８１が固定されている。そして、一方の下部固定金具８１の支持部８１ｂの連結ピン（図示せず）の上には建枠を構成する縦柱２２の一方が載置されるとともに、その縦柱２２の上部と高さ調整柱６８の上部が上部固定金具８２によって固定されている。また、他方の下部固定金具８１の支持部８１ｂの連結ピン（図示せず）の上には建枠を構成する縦柱２２の他方が載置されるとともに、その縦柱２２の上部と高さ調整柱６８の上部が上部固定金具８２によって固定されている。なお、このときの地面から縦柱２２の最下部までの高さは３００ｍｍである。
【００７１】
そして、仮設足場の長辺方向（正面および背面）の下部には、仮設足場の最下部の剛性を確保するために水平方向に根がらみ単管６１が設置されている。なお、根がらみ単管６１を用いる代わりにつなぎ材を用いてもよい。また、仮設足場の長辺方向（正面および背面）においては、隣接する高さ調整柱６８に設けられたロック金具２８の間に、仮設足場の最下部の剛性を確保するための２本の筋違２１がたすきがけに取り付けられている。この筋違２１によって、斜めに設置される水平力抵抗用単管６５の設置を省略できる。なお、隣接する縦柱２２の間にも２本の筋違２１がたすきがけに取り付けられているが、これは横桟２３と２本の縦柱２２から構成される建枠の剛性を確保するために設置されている。
【００７２】
図１５は、図１０に示した本発明に係る高さ調整部材を用いて仮設足場を立設した他の例である。(a)が正面図、そして、(b)が右側面図である。
【００７３】
２本の高さ調整柱６８が、ジャッキベース５を介して、地盤の上に立設され、高さ調整柱６８の最上位の高さ調整孔６７と下部固定金具８１の高さ調整部８１ａの固定孔８３にボルト８５を貫通させ、ナット８６で締め付けることによって、それぞれの高さ調整柱６８に下部固定金具８１が固定されている。そして、一方の下部固定金具８１の支持部８１ｂの連結ピン（図示せず）の上には建枠を構成する縦柱２２の一方が載置されるとともに、その縦柱２２の上部と高さ調整柱６８の上部が上部固定金具８２によって固定され、また、他方の下部固定金具８１の支持部８１ｂの連結ピン（図示せず）の上には建枠を構成する縦柱２２の他方が載置されるとともに、その縦柱２２の上部と高さ調整柱６８の上部が上部固定金具８２によって固定されている点は図１４と同じである。なお、このときの地面から縦柱の最下部までの高さは７００ｍｍである。
【００７４】
そして、図１４と同様に、仮設足場の長辺方向（正面および背面）の下部には、仮設足場の最下部の剛性を確保するために水平方向に根がらみ単管６１が設置されている。なお、根がらみ単管６１を用いる代わりにつなぎ材を用いてもよい。また、仮設足場の長辺方向（正面および背面）においては、仮設足場の最下部の剛性を確保するために、隣接する高さ調整柱６８に設けられたロック金具２８の間に、２本の筋違２１がたすきがけに取り付けられており、この筋違２１によって、斜めに設置される水平力抵抗用単管６５の設置を省略できる。なお、隣接する縦柱２２の間にも２本の筋違２１がたすきがけに取り付けられているが、これは横桟２３と２本の縦柱２２から構成される建枠の剛性を確保するために設置されている点も、図１４と同じである。
【００７５】
ただし、図１４とは異なり、仮設足場の短辺方向（左側面および右側面）には、高さ調整柱の間にコマ４を介してつなぎ材２が連結されている。これは、地面から縦柱２２の最下部までの高さは７００ｍｍと高いために、仮設足場の最下部の剛性を確保する必要があり、そのために根がらみ単管の機能を代替するつなぎ材２を設置したのである。なお、つなぎ材２に代えて、根がらみ単管を用いてもよい。
【００７６】
図１６は、図１０に示した本発明に係る高さ調整部材を用いて急傾斜面の上に仮設足場を立設した他の例（左側面図）である。
【００７７】
コンクリート基礎１３の上にはジャッキベース５を介して、建枠を構成する縦柱２２の一方が載置されている。また、１本の高さ調整柱６８が、ジャッキベース５を介して、低い地盤１０の上に立設され、高さ調整柱６８の上から２番目の位置の高さ調整孔６７と下部固定金具８１の高さ調整部８１ａの固定孔８３にボルト８５を貫通させ、ナット（図示せず）で締め付けることによって、その高さ調整柱６８に下部固定金具８１が固定されている。そして、その下部固定金具８１の支持部８１ｂの連結ピン１２の上に、建枠を構成する縦柱２２の他方が載置されるとともに、その縦柱２２の中部と高さ調整柱６８の上部が上部固定金具８２によって固定されている。
【００７８】
そして、仮設足場の長辺方向（正面）においては、隣接する高さ調整柱（図示せず）に設けられたロック金具２８の間に、仮設足場の最下部の剛性を確保するための筋違２１がたすきがけに取り付けられている。この筋違２１によって、仮設足場の長辺方向（正面）に斜めに設置される水平力抵抗用単管６５の設置を省略できる。そして、仮設足場の長辺方向（正面）の下部には、仮設足場の最下部の剛性を確保するために水平方向に根がらみ単管６１が設置されている。さらに、仮設足場の短辺（左側面と右側面）には、建枠を構成する縦柱２２の一方の下部と高さ調整柱６８の下部の間に、斜めに補強用単管６４が設置されている。ここでは、根がらみ単管６１が用いられているが、代わりにつなぎ材を用いてもよい。
【００７９】
図１７は、本発明に係る下部固定金具８１の他の例である。(a)が平面図、そして、(b)が正面図である。
【００８０】
下部固定金具８１は、仮設足場の縦柱２２を、高さ調整柱６８の高さ調整孔６７のいずれかの高さ位置に固定するための固定孔８３を有する高さ調整部８１ａと、上記縦柱２２または部材を垂直に固定できる支持部８１ｂとが一体に形成されている連結金具である。そして、高さ調整柱６８の高さ調整孔６７と、縦柱２２に穿たれた孔（図示せず）とを、それぞれ、ボルトナットまたは固定ピンで連結することによって、仮設足場の縦柱２２に、高さ調整柱６８を垂直に固定することができる。ここでは、連結金具は、高さ調整柱６８と、縦柱２２をそれぞれ、概ね内包することができるコの字形状を有している。なお、この下部固定金具８１は２個以上用いてもよい。
【００８１】
図１８は、本発明に係る下部固定金具８１の他の例である。(a)が平面図、そして、(b)が正面図である。
【００８２】
下部固定金具８１は、縦柱２２を高さ調整柱６８の高さ調整孔６７のいずれかの高さ位置に固定するための固定孔８３を有する高さ調整部８１ａと、縦柱２２を垂直に載置できかつその横方向のずれを防止できる支持部８１ｂからなる。
【００８３】
ここで、支持部８１ｂと高さ調整部８１ａは一体に形成されており、高さ調整部８１ａは高さ調整柱６８を概ね内包することができるコの字形状の水平断面を有している。また、支持部８１ｂには連結ピン１２を内嵌できる円管からなる台座が設けられており、この台座の上の連結ピン１２を介して、縦柱２２の最下部を外嵌させることで縦柱２２を載置することができ、また横方向のずれも生じない。
【００８４】
この下部固定金具８１は、縦柱２２にかかる荷重を高さ調整柱６８に伝達できる部材であり、クランプ６２を用いないで、縦柱２２を高さ調整柱６８に連結できるため、縦柱２２の許容荷重が低下することはない。
【００８５】
図１９は、本発明に係る下部固定金具８１の他の例である。(a)が平面図、そして、(b)が正面図である。
【００８６】
下部固定金具８１は、縦柱２２を高さ調整柱６８の高さ調整孔６７のいずれかの高さ位置に固定するための固定孔８３を有する高さ調整部８１ａと、縦柱２２を垂直に載置できかつその横方向のずれを防止できる支持部８１ｂからなる。
【００８７】
ここで、支持部８１ｂと高さ調整部８１ａは一体に形成されており、高さ調整部８１ａは高さ調整柱６８を概ね内包することができるコの字形状の水平断面を有している。また、支持部８１ｂの台座は四角形状の板材の上に短い円管を固着してあり、この円管に縦柱２２の最下部を外嵌させることで縦柱２２を載置することができ、また横方向のずれも生じない。
【００８８】
図２０は、本発明に係る下部固定金具８１の他の例である。(a)が平面図、そして、(b)が正面図である。
【００８９】
下部固定金具８１は、縦柱２２を高さ調整柱６８の高さ調整孔６７のいずれかの高さ位置に固定するための固定孔８３を有する高さ調整部８１ａと、縦柱２２を垂直に載置できかつその横方向のずれを防止できる支持部８１ｂからなる。
【００９０】
ここで、支持部８１ｂと高さ調整部８１ａは一体に形成されており、高さ調整部８１ａは高さ調整柱６８を概ね内包することができるコの字形状の水平断面を有している。また、支持部８１ｂには四角形状の板材の上に、短い角管を固着してあり、この角管に縦柱２２の最下部を内嵌させることで縦柱２２を載置することができ、また横方向のずれも生じない。
【００９１】
図２１は、本発明に係る上部固定金具８２の他の例である。(a)が平面図、そして、(b)が正面図である。
【００９２】
上部固定金具８２は、縦柱２２を高さ調整柱６８に補助的に固定するためのものである。縦柱２２の上部に固定することができればよく、ここでは、略コの字形の金具にクランプを固定した金具が用いられている。なお、上部固定金具８２は２個以上用いてもよい。
【産業上の利用可能性】
【００９３】
本発明によれば、仮設足場の最下部の接地部に大きな傾斜があっても、仮設足場の最下部を水平に保持することができ、単管の設置とクランプ止めの作業の手間を減らすことができる高さ調整部材と、この高さ調整部材を組み込んでなる仮設足場を提提供することができる。
【符号の説明】
【００９４】
２  つなぎ材
２ａ  クサビ金具
４  コマ
５  ジャッキベース
９  床付き布枠
１０  地盤
１１  ホゾ材
１２  連結ピン
１３  コンクリート基礎
１４  建物
１５  ネジ加工
１６  ジャッキハンドル
２０  手摺部材
２２  縦柱
２３  横桟
２４  鳥居枠
２５  筋違
２８  ロック金具
２８ａ  ロック金具
２８ｂ  ロック金具
６０  高さ調節枠
６１  根がらみ単管
６２  クランプ
６３  高さ調整用の単管
６４  補強用の単管
６５  水平力抵抗用単管
６６  高さ調整柱（二重管）
６６ａ  高さ調整柱の内管
６６ｂ  高さ調整柱の外管
６７  高さ調整孔
６８  高さ調整柱（単管）
７０  固定ピン
７１  縦長の固定孔（特許文献２および３）
７３  固定金具（特許文献３）
７３ａ  下部固定金具
７３ｂ  上部固定金具
７３ｃ  断面コの字形状の垂直壁
８１  下部固定金具（本発明）
８１ａ  高さ調整部
８１ｂ  支持部
８２  上部固定金具（本発明）
８３  固定孔（本発明）
８５  ボルト
８６  ナット
【図１】
2014190070.tif 000003
【図２】
2014190070.tif 000004
【図３】
2014190070.tif 000005
【図４】
2014190070.tif 000006
【図５】
2014190070.tif 000007
【図６】
2014190070.tif 000008
【図７】
2014190070.tif 000009
【図８】
2014190070.tif 000010
【図９】
2014190070.tif 000011
【図１０】
2014190070.tif 000012
【図１１】
2014190070.tif 000013
【図１２】
2014190070.tif 000014
【図１３】
2014190070.tif 000015
【図１４】
2014190070.tif 000016
【図１５】
2014190070.tif 000017
【図１６】
2014190070.tif 000018
【図１７】
2014190070.tif 000019
【図１８】
2014190070.tif 000020
【図１９】
2014190070.tif 000021
【図２０】
2014190070.tif 000022
【図２１】
2014190070.tif 000023